(57)【特許請求の範囲】
【請求項１】
上端と下端にねじ部（１０ａ、１０ｂ）を有する外筒（１１）と、
前記外筒（１１）の内側に同心円状に配置されると同時に外筒の内壁との間に飲み物貯蔵部（１２）を設け、下端には外筒（１１）のねじ部（１０ｂ）に締結されるねじ部（１０ｃ）を有する下端キャップ部（１３）が形成されており、内周面には長手方向に沿って延在する２列の螺旋溝（１４）を有する中間筒（１５）と、
前記中間筒（１５）の内側に同心円状に配置されると同時に内部が食べ物貯蔵部（１６）として設けられ、壁体には長手方向に沿って並んだ２条の直線状ガイドホール（１７）が形成されており、上端外周面の突起（１８ａ）が中間筒（１５）の上端内周面の溝（１９ａ）に嵌合されて自体の軸線を中心に回転可能な内筒（２０）と、
前記内筒（２０）の下端部に螺合締結されて共に回転可能であり、中間筒（１５）の下端キャップ部（１３）にある溝（１９ｂ）に嵌め込まれる突起（１８ｂ）を有する操作用キャップ部（２１）と、
前記内筒（２０）の内部に同心円状に配置され、外周面の両側には内筒（２０）のガイドホール（１７）を貫いて中間筒（１５）の螺旋溝（１４）に係止されるガイド突起（２２）を有し、内筒（１０）の回転の際に中間筒（１５）の螺旋溝（１４）に沿って誘導されながら昇降して食べ物を押し上げる食べ物受け台（２３）と、
前記外筒（１１）の上端部を塞ぐキャップ（２４）と、を含んでなることを特徴とする、携帯用三重容器。
【請求項２】
前記キャップ（２４）は、互いに所定の間隔を維持しながら外筒（１１）の上端部に結合する外部壁体（２５）、および中間筒（１５）の上端部に結合する内部壁体（２６）からなる二重壁体と、上端部を塞ぐ開閉可能な栓（２７）とを含んでなり、前記外部壁体（２５）と前記内部壁体（２６）の上端開口部は、飲み物取出口（２８）を有し且つ中心に向かって下向きに傾いた形態の遮断板（２９）で閉塞されている構造であることを特徴とする、請求項１に記載の携帯用三重容器。
【請求項３】
前記キャップ（２４）の栓（２７）は、ヒンジの役割を果たす帯片（３２）を用いてキャップ（２４）に取り付けられており、底面に形成されて食べ物貯蔵部（１６）の上方の開口部を閉塞して気密を維持する気密体（３０）を含むことを特徴とする、請求項１または２に記載の携帯用三重容器。
【請求項４】
前記中間筒（１５）に設けられる２列の螺旋溝（１４）は、互いに１８０°の位相差をもって筒の内周面に沿って長手方向に延在する対称構造で配置されることを特徴とする、請求項１または２に記載の携帯用三重容器。
【請求項５】
前記キャップ（２４）は、互いに所定の間隔を維持する円筒状の内部壁体（２６）と外部壁体（２５）を有する形態であって、前記内部壁体（２６）と前記外部壁体（２５）にはそれぞれねじ部（１０ｆ、１０ｇ）が備えられ、外筒（１１）のねじ部（１０ａ）と中間筒（１５）のねじ部（１０ｄ）に同時に締結できるように構成されることを特徴とする、請求項１に記載の携帯三重容器。
【請求項６】
前記外筒（１１）は開閉可能な断熱ケースによって包まれて保温および断熱できることを特徴とする、請求項１に記載の携帯用三重容器。
【請求項７】
上端と下端にねじ部（１０ａ、１０ｂ）を有する外筒（１１）と、
前記外筒（１１）の内側に同心円状に配置されると同時に外筒の内壁との間に飲み物貯蔵部（１２）を設け、下端には外筒（１１）のねじ部（１０ｂ）に締結されるねじ部（１０ｃ）を有する下端キャップ部（１３）が形成されており、内周面には長手方向に沿って延在する２列の螺旋溝（１４）を有する中間筒（１５）と、
前記中間筒（１５）の内側に同心円状に配置されると同時に内部が食べ物貯蔵部（１６）として設けられ、壁体には長手方向に沿って並んだ２条の直線状ガイドホール（１７）が形成されており、上端外周面の突起（１８ａ）が中間筒（１５）の上端内周面の溝（１９ａ）に嵌合されて自体の軸線を中心に回転可能な内筒（２０）と、
前記内筒（２０）の下端部に螺合締結されて共に回転可能であり、中間筒（１５）の下端キャップ部（１３）にある溝（１９ｂ）に嵌め込まれる突起（１８ｂ）を有する操作用キャップ部（２１）と、
前記内筒（２０）の内部に同心円状に配置され、外周面の両側には内筒（２０）のガイドホール（１７）を貫いて中間筒（１５）の螺旋溝（１４）に係止されるガイド突起（２２）を有し、内筒（１０）の回転の際に中間筒（１５）の螺旋溝（１４）に沿って誘導されながら昇降して食べ物を押し上げる食べ物受け台（２３）と、
前記外筒（１１）の上端部を塞ぐキャップ（２４）と、を含んでなり、
前記操作用キャップ部（２１）が、その内側底面と中間筒（１５）の底面との間に設けられる空間部（３７）を用いて上下移動可能に組み立てられ、上方への移動の際に突起（１８ｂ）によって中間筒（１５）のねじ部（１０ｃ）の外側に締結されることにより、内筒（２０）を含む操作用キャップ部（２１）全体が固定できるように構成されることを特徴とする、携帯用三重容器。
【請求項８】
前記操作用キャップ部（２１）の内側底面と中間筒（１５）の底面との間に設けられる空間部（３７）にはシールパッド（３８）が取り付けられることを特徴とする、請求項７に記載の携帯用三重容器。
【請求項９】
前記キャップ（２４）は、互いに所定の間隔を維持しながら外筒（１１）の上端部に結合する外部壁体（２５）、および中間筒（１５）の上端部に結合する内部壁体（２６）からなる二重壁体と、上端部を塞ぐ開閉可能な栓（２７）とを含んでなり、前記外部壁体（２５）と前記内部壁体（２６）の上端開口部は、飲み物取出口（２８）を有し且つ中心に向かって下向きに傾いた形態の遮断板（２９）で閉塞されている構造であることを特徴とする、請求項７に記載の携帯用三重容器。
【請求項１０】
前記キャップ（２４）の栓（２７）は、ヒンジの役割を果たす帯片（３２）を用いてキャップ（２４）に取り付けられており、底面に形成されて食べ物貯蔵部（１６）の上方の開口部を閉塞して気密を維持する気密体（３０）を含むことを特徴とする、請求項７に記載の携帯用三重容器。
【請求項１１】
前記キャップ（２４）の栓（２７）は、ヒンジの役割を果たす帯片（３２）を用いてキャップ（２４）に取り付けられており、底面に形成されて食べ物貯蔵部（１６）の上方の開口部を閉塞して気密を維持する気密体（３０）を含むことを特徴とする、請求項９に記載の携帯用三重容器。
【請求項１２】
前記外筒（１１）は開閉可能な断熱ケースによって包まれて保温および断熱できることを特徴とする、請求項７に記載の携帯用三重容器。
【発明の詳細な説明】
【技術分野】
【０００１】
本発明は、携帯用三重容器に係り、さらに詳しくは、容器の内部に食べ物と飲み物をそれぞれ隔離状態で一緒に収容することができるようにすることにより、野外活動の際に食べ物と飲み物を便利に携帯および保管することが可能な携帯用三重容器に関する。
【背景技術】
【０００２】
一般に、登山やジョギングなどの活動的な野外活動、または頻繁に水分を摂取する子供を同伴するなどの野外外出を行う際に、飢えや渇をいやすために各種食べ物や飲み物などを持参する。
【０００３】
野外活動のために出発する前に、食べ物または飲み物を別々の水桶または容器に入れて携帯することもあるが、容器を掃除することや前もって準備するなどの不便さにより、飲み物の場合は市中で直接購入してその飲み物容器そのままで携帯し、食べ物の場合も別の容器に入れて携帯することが通常的である。
【０００４】
すなわち、野外などへピクニックまたは遠足に出かけるとき、一般に食べ物と飲み物をそれぞれの容器に別々に入れて携帯する。
【０００５】
また、最近では、街を歩き回りながら、必要に応じてインスタント食品を摂取する場合が多くあるが、このような場合、食べ物と飲み物を容器に入れて或いはそのまま別々に所持して携帯しなければならないという不便さがある。
【０００６】
このように食べ物と飲み物を各個別容器に入れて携帯および保管する場合、食べ物と飲み物をそれぞれ携帯する場合の不便さ以外にも、摂取の際に両手を使用しなければならないので、食べ物を食べたり飲み物を飲んだりするときに相当な厄介さを伴う。
【０００７】
また、食べ物を食べるためには、箸などの補助道具を別途携帯しなければならない不便さがあり、使用後にそれを捨てることによりゴミを発生させるなどの環境汚染をもたらすという問題点がある。
【０００８】
かかる問題点を勘案し、特許文献１（韓国登録実用第２０−０３１５３１９号）および、特許文献２（韓国登録実用第２０−０３１４３５２号）では、一つの容器内に食べ物と飲み物を別々に収容することが可能な「携帯用二重容器」を開示している。
【０００９】
ところが、このような携帯用二重容器は、容器の内筒が完全密閉とならない構造的な問題点があり、容器の衛生上、完全分解洗浄が可能でなければならないが、外筒がいずれも二重構造の一体型からなっているため、分解洗浄が不可能であるという欠点があり、さらに、内筒の気密が維持されないため、飲み物の貯蔵が不可能であるという欠点もある。
【００１０】
特に、特許文献２（韓国登録実用第２０−０３１４３５２号）の場合、食べ物を貫通させなければ貯蔵が不可能であって衛生上良くなく、また、別途のスティックによる食べ物の取り出し或いは食べ物の上昇／下降が非常に複雑で不便であるという欠点がある。
【００１１】
また、特許文献３（韓国登録特許第１０−０９６３１５９号）、特許文献４（日本国特開平１１−２７８５９７号公報）および特許文献５（日本国特開２００１−１８６９２２号公報）でも携帯用飲食物貯蔵手段を開示しているが、これらは食品のみの貯蔵が可能であり、飲料と食品を同時に貯蔵することができないなど、使用上の便宜性に劣るという欠点がある。
【先行技術文献】
【特許文献】
【００１２】
【特許文献１】韓国登録実用第２０−０３１５３１９号
【特許文献２】韓国登録実用第２０−０３１４３５２号
【特許文献３】韓国登録特許第１０−０９６３１５９号
【特許文献４】日本国特開平１１−２７８５９７号公報
【特許文献５】日本国特開２００１−１８６９２２号公報
【発明の概要】
【発明が解決しようとする課題】
【００１３】
したがって、本発明は、このような問題点に鑑みてなされたもので、その目的は、容器の内部に食べ物と飲み物を別々に収容することが可能な２つの隔離空間を設け、かつ簡単な操作で食べ物を取り出して摂取することができるようにした新規形態の三重容器を実現することにより、野外活動の際に食べ物と飲み物を簡便に携帯および保管することができ、別の道具を使用することなく食べ物を取り出して便利に摂取することができる携帯用三重容器を提供することにある。
【００１４】
また、本発明の他の目的は、容器の下端にある操作用キャップ部を選択的に固定させる構造を採用し、必要に応じて内筒の回転構造を制限することができるのはもとより、容器の気密状態を確保することができる新規形態の三重容器を実現することにより、容器全体を水などの飲み物で満たして使用することができる携帯用三重容器を提供することにある。
【課題を解決するための手段】
【００１５】
上記目的を達成するために本発明で提供する携帯用三重容器は、次のような特徴がある。
【００１６】
前記携帯用三重容器は、上端と下端にねじ部を有する外筒と、前記外筒の内側に同心円状に配置されると同時に外筒の内壁との間に飲み物貯蔵部を設け、下端には外筒のねじ部に締結されるねじ部を有する下端キャップ部が形成されており、内周面には長手方向に沿って延在する２列の螺旋溝を有する中間筒と、前記中間筒の内側に同心円状に配置されると同時に内部が食べ物貯蔵部として設けられ、壁体には長手方向に沿って並んだ２条の直線状ガイドホールが形成されており、上端外周面の突起が中間筒の上端内周面の溝に嵌合されて自体の軸線を中心に回転可能な内筒と、前記内筒の下端部に螺合締結されて共に回転可能であり、中間筒の下端キャップ部にある溝に嵌め込まれる突起を有する操作用キャップ部と、前記内筒の内部に同心円状に配置され、外周面の両側には内筒のガイドホールを貫いて中間筒の螺旋溝に係止されるガイド突起を有し、内筒の回転の際に中間筒の螺旋溝に沿って誘導されながら昇降して食べ物を押し上げる食べ物受け台と、前記外筒の上端部を塞ぐキャップと、を含んでなり、食べ物と飲み物を一緒に保管および携帯することができ、かつ食べ物を容易に取り出して摂取することができるという特徴がある。
【００１７】
ここで、前記キャップは、互いに所定の間隔を維持しながら、外筒の上端部に結合する外部壁体、および中間筒の上端部に結合する内部壁体からなる二重壁体と、上端部を塞ぐ開閉可能な栓とを含んでなり、前記外部壁体と前記内部壁体の上端開口部は、飲み物取出口を有し且つ中心に向かって下向きに傾いた形態の遮断板で閉塞されている構造であることが好ましい。
【００１８】
前記キャップの栓は、ヒンジの役割を果たす帯片を用いてキャップに一体に取り付けられており、底面に形成されて食べ物貯蔵部の上方の開口部を閉塞して気密を維持する気密体を含むことが好ましい。
【００１９】
本発明の他の実施形態として、前記操作用キャップ部が、その内側底面と中間筒の底面との間に設けられる空間部を用いて上下移動可能に組み立てられ、上方への移動の際に突起によって中間筒のねじ部の外側に締結されるようにして、内筒を含む操作用キャップ部全体を固定させることにより、容器全体に水などの飲み物を満たして飲み物容器として使用することができるようにすることが好ましい。
【発明の効果】
【００２０】
本発明で提供する携帯用三重容器は、次のような利点がある。
【００２１】
第一に、一つの容器内に食べ物と飲み物を別々に収容することができるので、野外活動の際に携帯および保管が簡便であるという利点がある。
【００２２】
第二に、下端の操作用キャップ部を手で回すだけで、内部の食べ物を容易に取り出すことができるので、箸などの道具を使うことなく食べ物を便利に摂取することができるという利点がある。
【００２３】
第三に、三重容器の各筒の分解および組立を容易に行うことが可能な構造なので、誰でも容易に洗浄することができるなど、食べ物と飲み物を衛生的に保管することができるという利点がある。
【００２４】
第四に、上部キャップの二重壁体にそれぞれ丸ねじを形成することにより、気密維持および開閉が容易であり、キャップの上下二重構造により飲み物と食べ物の摂取が便利である。
【００２５】
第五に、容器下端の操作用キャップ部を押し上げて中間筒に締結固定させることができるので、容器の内部に水などの飲み物を全て満たして飲み物容器として便利に使用することができるという利点がある。
【００２６】
よって、本発明の携帯用三重容器は、外筒と内筒の気密が維持されてそれぞれに同じ飲み物、或いはそれぞれに相異なる飲み物を保管することができ、携帯用保温カバーを用いて一定の時間保温または保冷を維持し、或いは外筒または内筒のいずれか一方に冷たい物質または熱い物質を入れて外筒または内筒の内容物の保温および保冷効果を高め、或いは保温ケースと外筒の間に密閉空間をおいて内筒の内容物の保温・保冷を維持することができるという利点がある。
【図面の簡単な説明】
【００２７】
【図１】本発明の一実施形態に係る携帯用三重容器を示す分解斜視図である。
【図２】本発明の一実施形態に係る携帯用三重容器を示す結合斜視図である。
【図３】本発明の一実施形態に係る携帯用三重容器を示す断面斜視図である。
【図４】図３の「Ａ」部位の拡大図である。
【図５】図３の「Ｂ」部位の拡大図である。
【図６】本発明の一実施形態に係る携帯用三重容器の使用状態を示す断面図である。
【図７】本発明の他の実施形態に係る携帯用三重容器を示す拡大図である。
【発明を実施するための形態】
【００２８】
以下、添付図面を参照して本発明を詳細に説明する。
【００２９】
図１〜図５は本発明の一実施形態に係る携帯用三重容器を示す斜視図および拡大図である。
【００３０】
図１〜図５に示すように、前記携帯用三重容器は、中心側に食べ物を、その周りには飲み物をそれぞれ入れて一緒に携帯することが可能な構造であって、円筒状からなる３つの筒、例えば、容器本体をなす外側の外筒１１と、前記外筒１１の内部に同心円状に配置される中間筒１５および内筒２０から構成される。前記外筒１１と中間筒１５との間に設けられる空間に水などの飲み物が充填され、前記内筒２０の内部に海苔巻などの食べ物が充填される。
【００３１】
前記外筒１１は、三重容器の本体をなす部分であって、上端と下端にはそれぞれねじ部１０ａ、１０ｂが形成されており、この際の上端ねじ部１０ａは後述のキャップ２４に締結され、下端ねじ部１０ｂは中間筒１５にあるねじ部１０ｃが締結される。
【００３２】
このような外筒１１はプラスチックやステンレス材質などで製作することができ、この際の外筒１１に備えられるねじ部１０ａ、１０ｂは内外に或いは一側にねじ線が形成される丸ねじからなってもよい。
【００３３】
一方、図２に示すように、食べ物と飲み物の保温のための手段として、布材質などからなる断熱ケース３５が設けられる。この際の断熱ケース３５は、外筒１１全体を包むカバー形態であって、保温および断熱機能を発揮することができる。
【００３４】
勿論、前記カバーには上下ジッパー３６などの開閉手段を備えることにより、容易に開閉することができるようにすることが好ましい。
【００３５】
前記中間筒１５は、外筒１１の内側に同心円状に配置されて外筒内壁との間に飲み物貯蔵部１２を設ける部分であって、下端部には中間筒１５の直径より相対的に大きい直径の下端キャップ部１３が形成されており、この際の下端キャップ部１３には外筒１１のねじ部１０ｂに締結されるねじ部１０ｃが形成される。
【００３６】
これにより、前記中間筒１５は、下端キャップ部１３のねじ部１０ｃを介して外筒１１の下端部のねじ部１０ｂに外側に締結されることにより外筒１１側と一体に結合できる。
【００３７】
また、前記中間筒１５の上端部にもねじ部１０ｄが形成されており、この際のねじ部１０ｄを介して後述のキャップ２４側にも締結できる。
【００３８】
前記下端キャップ部１３の下端周縁には溝１９ｂが備えられており、この際の溝１９ｂには後述の操作用キャップ部２１にある突起１８ｂが嵌合されて係止できる。
【００３９】
また、前記中間筒１５の上端部の内周面にはねじ部１０ｄの直下側の位置に溝１９ａが備えられており、この際の溝１９ａには内筒２０にある突起１８ａが嵌合されて係止できる。
【００４０】
また、前記中間筒１５にある下端キャップ部１３の内側底部にはパッキング３３が取り付けられており、前記パッキング３３は、飲み物が充填されている飲み物貯蔵部１２の気密を維持する役割を果たす。
【００４１】
ここで、前記パッキング３３は、所定の厚さを有する薄いリング状からなってもよく、キャップ部の底面に一体に塗布される弾性材質のシール手段を適用することもでき、その他に、下端キャップ部１３自体を弾性材質で製作して材質自体の弾性を用いて気密を維持することもできる。
【００４２】
このような中間筒１５の場合にも、プラスチックやステンレス材質などで製作することができ、この際の中間筒１５に備えられるねじ部１０ｃ、１０ｄは内外に或いは一側にねじ線が形成される丸ねじからなってもよい。
【００４３】
特に、前記中間筒１５には、飲み物を押し上げる食べ物受け台２３の上昇および下降を誘導する手段として、２列の並んだ螺旋溝１４を含む。
【００４４】
前記２列の螺旋溝１４は、中間筒１５の内周面に筒の長手方向に沿って並設され、この際の各螺旋溝１４は互いに１８０°の位相差をもって筒の内周面に沿って長手方向に延在する対称構造で配置される。
【００４５】
すなわち、１列の螺旋溝１４は中間筒１５の下端から筒の内周面に沿って螺旋状に上端まで延在し、他の１列の螺旋溝１４は前記螺旋溝１４の開始位置から１８０°離れた反対側の下端から筒の内周面に沿って螺旋状に上端まで延在する。
【００４６】
この際の２列の螺旋溝１４は、同一の螺旋角を有する形態であって、食べ物受け台２３が安定的に水平姿勢を成しながら上昇および下降運動を行うことができる。
【００４７】
前記内筒２０は、内部に食べ物を収容することが可能な空間、すなわち食べ物貯蔵部１６を提供するとともに、自体の軸線を中心にその場で回転しながら食べ物受け台２３の上昇および下降のための動力を提供する部分であって、中間筒１５の内側に同心円状に配置される。
【００４８】
このような内筒２０の上端部の外周縁には突起１８ａが形成されており、この際の突起１８ａが中間筒１５の上端内周面の溝１９ａに嵌合される構造で支持される。
【００４９】
特に、前記内筒２０には壁体を貫通しながら筒の長手方向に沿って連続的に延在する形態の２条の直線状ガイドホール１７が形成されており、前記直線状ガイドホール１７には食べ物受け台２３にあるガイド突起２２が貫通し、この際のガイド突起２２の端部は筒の外側に延長されて位置できる。
【００５０】
前記直線状ガイドホール１７も互いに１８０°の位相差をもって並設され、各直線状ガイドホール１７は上端縁と下端縁に水平区間を持つことにより閉塞されており、その中でも少なくとも一つの直線状ガイドホール１７の上端縁は筒の上端に開放されている形態になってもよい。
【００５１】
このように直線状ガイドホール１７の上端縁の一端を開放形態に構成することにより、内筒２０を中間筒１５の内側に組み立てるとき、筒の上端をやや窄めることができて組立を容易に行うことができ、組立後には自体の弾力によって復元できる。
【００５２】
前記内筒２０の下端部の外周面にはねじ部１０ｅが形成されており、この際のねじ部１０ｅに後述の操作用キャップ部２１が締結構造で螺合されることにより、内筒２０と操作用キャップ部２１とは一体に動くことができる。
【００５３】
また、前記内筒２０を回すための操作手段として、操作用キャップ部２１が設けられる。
【００５４】
前記操作用キャップ部２１は、内筒２０の下端部に螺合締結されて一緒に回転する部分であって、中間筒１５にある下端キャップ部１３と類似の直径を持っており、円筒状胴体２１ａの内周面には内筒２０の下端ねじ部１０ｅに締結されるねじ部１０ｆが備えられており、円板状キャップ２１ｂの内周には中間筒１５の下端キャップ部１３にある溝１９ｂに嵌合される突起１８ｂが備えられている。
【００５５】
これにより、前記操作用キャップ部２１と内筒２０とは、それぞれが持っているねじ部１０ｅ、１０ｆによって締結されて一体に組み立てられる。また、内筒２０の上端突起１８ａと操作用キャップ部２１の突起１８ｂが中間筒１５の上端の溝１９ａと下端キャップ部１３の溝１９ｂにそれぞれ嵌合されて係止されることにより、内筒２０および操作用キャップ部２１は上下の突起と溝間の嵌合構造によって中間筒１５側に支持されながら自体の軸線を中心に回転できる。
【００５６】
ここで、前記突起と溝の嵌合の場合、使用者がある程度力を入れると容易に挿脱することが可能な構造であって、組立の際に強制的に押して嵌め込むことができるようになっており、洗浄などの必要による分解の際にはやや力を入れて引き抜くと容易に分離することができるようになっている。
【００５７】
前記食べ物受け台２３は、内筒２０の食べ物貯蔵部１６にある食べ物を食べ易くするように押し上げる部分であって、外周面の両側にガイド突起２２を有する円筒状からなる。
【００５８】
このような食べ物受け台２３は内筒２０の内部、すなわち食べ物貯蔵部１６内で同心円状に配置され、両側にあるガイド突起２２は内筒２０のガイドホール１７を貫通すると同時に中間筒１５の螺旋溝１４内には嵌め込まれる。
【００５９】
これにより、操作用キャップ部２１を回して内筒２０を回転させると、内筒２０の直線状ガイドホール１７の押圧力（内筒の回転力によるガイドホールとガイド突起間の干渉）によって、前記食べ物受け台２３は上方または下方に力を受ける。その結果、食べ物受け台２３は、中間筒１５の螺旋溝１４に沿って誘導されながら上昇または下降して食べ物を押し上げ或いは下方の原位置に復帰することができる。
【００６０】
一方、本発明では、食べ物と飲み物が一緒に入っている三重容器を密閉する手段としてキャップ２４を提供する。
【００６１】
前記キャップ２４は、食べ物の入っている内筒２０の上部と、飲み物の貯蔵のために二重からなる中間筒１５および外筒１１の上部とを同時に効果的に塞ぐ構造を取っている。
【００６２】
このために、前記キャップ２４は、互いに所定の間隔（およそ飲み物貯蔵部程度の間隔）を維持する円筒状の内部壁体２６と外部壁体２５を有する形態であって、前記外部壁体２５は外筒１１の上端ねじ部１０ａに、前記内部壁体２６は中間筒１５の上端ねじ部１０ｄにそれぞれ締結構造で螺合されることにより、外筒１１および中間筒１５とキャップ２４とは一体に組み立てられることが可能である。
【００６３】
例えば、前記内部壁体２６と外部壁体２５にはそれぞれ丸ねじなどからなるねじ部１０ｆ、１０ｇが備えられており、前記ねじ部１０ｆ、１０ｇが外筒１１のねじ部１０ａと中間筒１５のねじ部１０ｄに同時に締結されることにより、二重容器構造の外側空間の気密を効果的に維持することができるという利点がある。
【００６４】
そして、前記キャップ２４が有する外部壁体２５と内部壁体２６の上端開口部は、中心に向かって下向きに傾いた形態の遮断板２９で閉塞されており、この際の遮断板２９の一側には開閉可能な蓋３１で覆われている飲み物取出口２８が設けられる。
【００６５】
このように前記遮断板２９が傾いた形態をなすことにより、三重容器を傾かせて飲み物を注ぐとき、飲み物が自然に流れ出して排出される。
【００６６】
これにより、外筒１１と中間筒１５との間に設けられる飲み物貯蔵部１２は、キャップ２７の組立と共に遮断板２９によってその上部が塞がれることにより、外部露出なしで安全に密閉できる。
【００６７】
また、前記キャップ２７の上部は開閉可能な栓２７で覆われるが、この際の栓２８は円板状からなり、栓２７の板体縁部の一側にはヒンジの役割を果たす帯片３２が一体に形成される。これと共に、この際の帯片３２は、キャップ２４とも一体に連結されているため、栓２７を開閉するときにヒンジ機能を発揮することができる。
【００６８】
前記栓２７の底面中心部には、中間筒１５の上端内側に挿入されて気密を維持する気密体３０が形成される。
【００６９】
ここで、前記気密体３０の下端周部にはキャップ２７の上端内周の溝部分に嵌め込まれる気密用突起３４を形成することにより、気密体３０が食べ物貯蔵部１６の上部を遮断することができるようにすることが保温または気密維持の観点から好ましい。
【００７０】
したがって、このように構成される携帯用三重容器の使用状態を考察すると、次のとおりである。
【００７１】
図６は本発明の一実施形態に係る携帯用三重容器の使用状態を示す断面図である。
【００７２】
図６に示すように、前記携帯用三重容器の内筒２０の内部に設けられる食べ物貯蔵部１６には、海苔巻きなどの食べ物１００が充填され、外筒１１と中間筒１５との間に設けられる飲み物貯蔵部１２には水などの飲み物１１０が充填される。
【００７３】
食べ物貯蔵部１６の内部に設置されている食べ物受け台２３は、十分な量の食べ物を満たすことができるように食べ物貯蔵部１６の最下方に位置する。
【００７４】
この状態で食べ物を摂取するために、キャップ２４を覆っている栓２７を開いた後、下方の操作用キャップ部２１を手で回すと、内筒２０が回転し、これと連動して食べ物受け台２３が中間筒１５の螺旋溝１４の案内を受けながら上昇する。その結果、食べ物受け台２３によって押し上げられながら外部に出てくる食べ物を容易に摂取することができる。
【００７５】
すなわち、箸などの別の道具を使うことなく、操作用キャップ部２１のみ適当に回しながら食べ物を取り出すことができるので、便利に食べ物を摂取することができる。
【００７６】
飲み物の場合にも、キャップ２４にある蓋３１を開き、容器を傾かせて容易に注いで飲むことができる。
【００７７】
一方、本発明では、食べ物と飲み物を収容することが可能な用途以外にも、容器全体に飲み物を充填して使用することが可能な用途の携帯用三重容器を提供する。
【００７８】
このため、図７に示すように、容器の下端部に取り付けられる操作用キャップ部２１、すなわち内筒２０に螺合されていると同時に、中間筒１５に係止されている操作用キャップ部２１はねじ１〜２ピッチ程度の区間を上下に移動することができるように組み立てられる。
【００７９】
このような操作用キャップ部２１の上下移動のために、操作用キャップ部２１の内側底面と中間筒１５の底面との間に、キャップ部の移動余裕を提供する空間部３７が設けられる。前記操作用キャップ部２１の突起１８ｂは、中間筒１５の下端キャップ部１３にある溝１９ｂ内で上下に遊動可能に位置する。
【００８０】
ここで、前記外筒１１の下端部は、一定の長さが、内側に縮小した直径を有する形態を取ると共に、中間筒１５にある下端キャップ部１４も、その下端部の一定の長さ、例えば溝部１９ｂが設けられている部分の一定の長さが、内側に縮小した直径を有する形態を取る。
【００８１】
これにより、容器を食べ物と飲み物を入れて使用する平常時の場合には、操作用キャップ部２１は正常的な回転操作が可能となるが、容器全体に飲み物を満たして使用する場合には、操作用キャップ部２１を上方に押し上げて固定させておくことができる。
【００８２】
例えば、下方に位置していた操作用キャップ部２１を押し上げてその突起１８ｂを中間筒１５のねじ部１０ｃの外側に締結させると、すなわち、操作用キャップ２１を押し上げてねじ締結方向にややずらして突起１８ｂをねじ部１０ｃに締結させると、操作用キャップ部２１を中間筒１５側に固定させておくことができる。結局、操作用キャップ部２１と内筒２０の全体が動かないように固定できる。
【００８３】
この際、前記操作用キャップ部２１にある突起１８ｂの場合、螺旋状に沿って設けられる突起形態にして、中間通１５のねじ部１０ｃに対して容易に締結または締結解除することができるようにすることが好ましい。
【００８４】
勿論、前記内筒２０を操作用キャップ部２１と共にやや上方に押し上げるようにするために、内筒２０の上端部にある突起１８ｂが嵌め込まれる中間筒１５の溝１９ａの上下幅をやや広く形成することにより、内筒２０の上方移動の際に突起１８ｂも溝１９ａ内で上方に遊動して内筒２０の移動には全く問題がない。
【００８５】
前記操作用キャップ部２１の内側底面と中間筒１５の底面との間に設けられる空間部３７にはシールパッド３８が取り付けられ、これにより、操作用キャップ部２１が中間筒１５側に締結固定されると同時に、シールパッド３８が下端キャップう１３の底面に圧着されることにより、容器内の気密が確保できる。
【００８６】
一方、前記中間筒１５に固定させておいた操作用キャップ部２１を逆に回して解錠すると、操作用キャップ部２１が元来の下端位置に復帰するので、この際には食べ物を入れる容器に再び転換して使用することができる。
【００８７】
このように、一つの容器に食べ物と飲み物の両方とも収容することができるため、野外活動の際に携帯および保管が簡便であるうえ、食べ物も容易に上方に押し上げて摂取することができ、三重容器の外筒、中間筒および内筒、そして操作用キャップなどを容易に分離することができて洗浄が非常に容易であるという利点がある。
【００８８】
容器の下端の操作用キャップ部を選択的に固定させておくことができるので、食べ物を満たすことが可能な空間に水を入れて使用することができるなど、容器の活用度を高めることができるという利点がある。
【産業上の利用可能性】
【００８９】
現在、食品および飲料は一般に別々の容器を用いて包装しているが、たとえば携帯用のそれぞれの個別容器を上下に分けて構成し、各容器に食品と飲料を別々に入れてこれらの２つの容器を結合して携帯している。これに対して、本発明の容器は、一つの容器に食品と飲料を同時に保管し、別途の摂取用道具が不要であり、現場で別途の調理過程のための燃料および水などが不要なので、使い捨て用の場合、全現場における自販機形態の販売が可能であり、飢餓難民、軍人戦闘食糧弁当、各種展示会および野外弁当の形態でＴＡＫＥ−ＯＵＴタイプの食飲料産業の新市場を開拓するという効果がある。また、多様なアイスクリームを用いるフランチャイズ形態の産業が存在するように、本発明の容器を用いる様々な食品および飲料の開発によって食飲料フランチャイズ産業に利用可能である。
【符号の説明】
【００９０】
１０ａ、１０ｂ、１０ｃ、１０ｄ、１０ｅ、１０ｆ、１０ｇ    ねじ部
１１    外筒
１２    飲み物貯蔵部
１３    下端キャップ部
１４    螺旋溝
１５    中間筒
１６    食べ物貯蔵部
１７    直線状ガイドホール
１８ａ、１８ｂ    突起
１９ａ、１９ｂ    溝
２０    内筒
２１    操作用キャップ部
２１ａ    円筒状胴体
２１ｂ    円板状キャップ
２２    ガイド突起
２３    食べ物受け台
２４    キャップ
２５    外部壁体
２６    内部壁体
２７    栓
２８    飲み物取出口
２９    遮断板
３０    気密体
３１    蓋
３２    帯片
３３    パッキング
３４    気密用突起
３５    断熱ケース
３６    ジッパー
３７    空間部
３８    シールパッド
【図１】
0005723486.tif 000002
【図２】
0005723486.tif 000003
【図３】
0005723486.tif 000004
【図４】
0005723486.tif 000005
【図５】
0005723486.tif 000006
【図６】
0005723486.tif 000007
【図７】
0005723486.tif 000008